(57)【要約】【課題】  カードリーダー機能を備え、カードリーダーとして使用することを可能にするＵＳＢケーブルを提供する。【解決手段】  ＵＳＢケーブル８０Ａの第一端ＵＳＢプラグ２０の金属ケース３０は、第一壁面３１および第二壁面３２を有する。絶縁基板４０は、前後側以外の部位が金属ケース３０によって被覆される。絶縁基板４０の第一表面４１と第一壁面３１との間に形成される差込口４４は、汎用協定を満たすＵＳＢメス差込口と電気的に接続可能である。また、絶縁基板４０の第二表面４２と第二壁面３２との間にメモリーカード５０を差し込むためのスロット４６が形成され、第二表面４２にメモリーカード５０と電気的に接続可能な複数の金属端子４５を配置することによって、Micro SD/T-Flash用薄型カードリーダーを構成する。これにより、一般のＵＳＢプラグの機能およびカードリーダーの機能を有する。【選択図】  図２
0003158244.tif 000002
【実用新案登録請求の範囲】
【請求項１】
所定の長さを有するケーブルと、
汎用協定のＵＳＢプラグの寸法および規格を満たし、かつ前記ケーブルの一端に接続される第一端ＵＳＢプラグと、
前記ケーブル上の前記第一端ＵＳＢプラグに対応する別の一端に接続される第二端ＵＳＢプラグと、
を備え、
前記第一端ＵＳＢプラグの本体、前記第二端ＵＳＢプラグの本体または前記ケーブルのうちのいずれか少なくとも一ヶ所に薄型メモリーカードを差し込むためのスロットが内蔵されることを特徴とするカードリーダー機能を備えたＵＳＢケーブル。
【請求項２】
前記スロットは、前記第一端ＵＳＢプラグに内蔵され、かつ、  金属から構成され、汎用協定のＵＳＢのA-Typeプラグの寸法および規格を満たし、かつ上端および下端に別々に形成された第一壁面および第二壁面を有する金属ケースと、  前後側以外の部位が前記金属ケースによって被覆され、  下向きに配置され、複数の金属ピンを有するインターフェースを有し、前記金属ケースの前記第一壁面との間に、汎用協定を満たすＵＳＢメス差込口と電気的に接続可能な差込口を形成する第一表面と、  前記第一表面の裏側に上向きに配置され、前記金属ケースの前記第二壁面との間に、（公序良俗違反につき、不掲載）薄型メモリーカードを差し込むためのスロットを形成し、前記メモリーカードと電気的に接続可能な複数の金属端子を配置することによって（公序良俗違反につき、不掲載）用薄型カードリーダーを構成する第二表面とを有し、厚さが１．２ｍｍ以下である絶縁基板と、  を有し、  前記第二壁面の外端部に前記メモリーカードの外側の突出部と合わさる欠け口が設けられることを特徴とする請求項１に記載のカードリーダー機能を備えたＵＳＢケーブル。
【請求項３】
前記スロットは、前記第一端ＵＳＢプラグの本体の左側、右側および後側のうちのいずれか一つに配置されることを特徴とする請求項１に記載のカードリーダー機能を備えたＵＳＢケーブル。
【請求項４】
前記スロットは、前記第一端ＵＳＢプラグの本体の上下面のいずれか一つに配置されることを特徴とする請求項１に記載のカードリーダー機能を備えたＵＳＢケーブル。
【請求項５】
前記スロットは、前記ケーブル上の任意の位置に配置されることを特徴とする請求項１に記載のカードリーダー機能を備えたＵＳＢケーブル。
【請求項６】
前記スロットは、前記第二端ＵＳＢジャックの本体の上下側、左右側および後側のうちのいずれか一つに配置されることを特徴とする請求項１に記載のカードリーダー機能を備えたＵＳＢケーブル。
【考案の詳細な説明】
【技術分野】
【０００１】
本考案は、カードリーダー機能を備えたＵＳＢケーブルの構造に関し、詳しく言えば従来のＵＳＢケーブルにカードリーダー機能が増設された構造に関するものである。
【背景技術】
【０００２】（公序良俗違反につき、不掲載）【０００３】（公序良俗違反につき、不掲載）【０００４】
図１は、従来のＵＳＢケーブル１０を示す立体図である。従来のＵＳＢケーブル１０は汎用協定のＵＳＢ規格に基づいたA-Typeのプラグを採用し、金属ケース１１によって覆われて形成された厚さｔ１が４．５２ｍｍであり、金属ケース１１によって覆われた絶縁基板１２の厚さｔ２が１．５から２．０ｍｍであるため、金属ケース１１の内部にＵＳＢ差込口（図中未表示）と電気的に接続できる差込口１３が形成される。しかしながら、従来のＵＳＢケーブル１０は、プラグ１５が電気的接続機能のみを有し、別の一つのＵＳＢプラグ１６がケーブル１４によって電子製品に接続されるほかには別の機能が付いていないということは実に惜しいことである。
ＵＳＢケーブル１０は「３Ｃ」製品の普及化に必要な部品であるとされ、カードリーダーはよく使用されているため、如何に両者を結合させるかということが本考案の課題となる。なお、「３Ｃ」とは、Computer（ノート、デスクトップなど）、Communication（携帯などの通信用電気製品）、Consumer（カメラ、ゲーム機、PMPなどの消費類電気製品）のことをいう。
【考案の概要】
【考案が解決しようとする課題】
【０００５】（公序良俗違反につき、不掲載）【０００６】
本考案のもう一つの目的は、カードリーダーとして使用することを可能にするＵＳＢケーブルを提供することである。カードリーダーとして使用することを可能にするＵＳＢケーブルは、従来のカードリーダーは携帯および差込・取り外しに不便であるという欠点を排除することが可能なだけでなく、ＵＳＢケーブルを使用する３Ｃ製品、例えばコンピューター、携帯電話、デジタルカメラ、パームトップパソコン、ＰＤＡ、ＧＰＳ、ＭＰ３／ＭＰ４、ゲームプレイヤーにカードリーダー機能を提供することが可能であるため、カードリーダーを接続する必要がない。従って、費用を節約することが可能となるだけでなく、使用に便利になる。
【０００７】
本考案のもう一つの目的は、単独にメモリーカードのデータの読み取りおよび書き込みを行なうことを可能にするだけでなく、ケーブルによって電子製品（携帯電話、デジタルカメラ、ＭＰ３／ＭＰ４、パームトップパソコン、ＧＰＳ、ＰＤＡ、ゲームプレイヤー）と接続し、記録、保存、充電、読み取り、表示、データ通信などの機能を果たすことを可能にすることである。
【課題を解決するための手段】
【０００８】（公序良俗違反につき、不掲載）【０００９】
上述した特徴により、スロットは、第一端ＵＳＢプラグの金属ケースに内蔵される。
上述した特徴により、スロットは、第一端ＵＳＢプラグの本体の左側、右側および後側のうちのいずれか一つに配置される。
上述した特徴により、スロットは、第一端ＵＳＢプラグの本体の上下表面のいずれか一つに配置される。
上述した特徴により、スロットは、第二端ＵＳＢジャックの本体の上下側、左右側および後側のうちのいずれか一つに配置される。
上述した特徴により、スロットは、ケーブル上の任意の位置に配置される。
【図面の簡単な説明】
【００１０】
【図１】従来のＵＳＢケーブルを示す外観図である。
【図２】本考案の第一実施形態によるカードリーダー機能を備えたＵＳＢケーブルを示す分解立体図である。
【図３】本考案の第一実施形態によるカードリーダー機能を備えたＵＳＢケーブルが組み立てられた状態を示す立体図である。
【図４】本考案の第一実施形態によるカードリーダー機能を備えたＵＳＢケーブルが組み立てられた状態を示す断面図である。
【図５】本考案の第二実施形態によるカードリーダー機能を備えたＵＳＢケーブルを示す分解立体図である。
【図６】本考案の第三実施形態によるカードリーダー機能を備えたＵＳＢケーブルを示す分解立体図である。
【図７】本考案の第四実施形態によるカードリーダー機能を備えたＵＳＢケーブルを示す分解立体図である。
【図８】本考案の第五実施形態によるカードリーダー機能を備えたＵＳＢケーブルを示す分解立体図である。
【考案を実施するための形態】
【００１１】（公序良俗違反につき、不掲載）
【００１２】
金属ケース３０は、金属から構成され、汎用協定のＵＳＢのA-Typeプラグの寸法および規格を満たし、かつ上端および下端に別々に形成された第一壁面３１および第二壁面３２を有する。第一壁面３１は通常第一端ＵＳＢプラグ２０を使用する際の上向きの面を指す。第二壁面３２は下向きの面を指す。
【００１３】
絶縁基板４０は、前後側以外の部位が金属ケース３０によって被覆され、かつ第一表面４１および第二表面４２を有する。第一表面４１は下向きにされ、かつ複数の金属ピンを有するインターフェース４３を有するため、第一表面４１および金属ケース３０の第一壁面３１との間に差込口４４が形成される。差込口４４は、汎用協定を満たすＵＳＢメス差込口（図中未表示）と電気的に接続することが可能である。以上は一般のＵＳＢプラグの構造である。これは先行技術であるため、詳細な説明を省略する。
【００１４】（公序良俗違反につき、不掲載）
【００１５】（公序良俗違反につき、不掲載）
【００１６】
金属ケース３０は欠け口３３の底面に陥没部３４を有する。メモリーカード５０を取り外すため、陥没部３４とメモリーカード５０の突出部５１との間に指を入れる空間が形成される。
【００１７】
第一端ＵＳＢプラグ２０の絶縁基板４０は末端が一体成形方式または組立方式によって回路板４７に接続される。回路板４７は第一表面４１上の金属ピンを有するインターフェース４３および第二表面４２の金属端子４５に電気的に接続されるため、本考案は一般のＵＳＢプラグの機能およびカードリーダーの機能を有する。つまり回路板４７にカード読取に必要な制御回路が配置される。回路ＩＣは本考案の主張範囲でないため、詳細な説明を省略する。
【００１８】
上述した構造により、本考案は単独にメモリーカードのデータの読み取りおよび書き込みを行なうことが可能なだけでなく、ケーブルによって電子製品（携帯電話、デジタルカメラ、ＭＰ３／ＭＰ４、パームトップパソコン、ＧＰＳ、ＰＤＡ、ゲームプレイヤー）と接続し、記録、保存、充電、読み取り、表示、データ通信などの機能を果たすことが可能である。以上は説明のための一例であった。本考案におけるＵＳＢプラグは上述した実施形態のほかに、対応できる電子製品（コンピューター、携帯電話、デジタルカメラ、ＭＰ３／ＭＰ４、パームトップパソコン、ＧＰＳ、ＰＤＡ、ゲームプレイヤー）と接続し、記録、保存、充電、読み取り、表示、データ通信などの機能を果たすことが可能である。
【００１９】（公序良俗違反につき、不掲載）
【００２０】（公序良俗違反につき、不掲載）
【００２１】（公序良俗違反につき、不掲載）
【００２２】（公序良俗違反につき、不掲載）
【００２３】（公序良俗違反につき、不掲載）
【００２４】
上述した技術手段により、本考案は従来のカードリーダーをＵＳＢケーブルに内蔵するため、本考案によるＵＳＢケーブルを接続に使用した電子製品は、言うまでもなくカードリーダー機能を有する。従って本考案はコストを削減することが可能なだけでなく、使用上の利便性および実用性を向上させることが可能である。
【符号の説明】
【００２５】
２０：第一端ＵＳＢプラグ、  ２１：本体、  ３０：金属ケース、  ３１：第一壁面、  ３２：第二壁面、  ３３：欠け口、  ３４：陥没部、  ４０：絶縁基板、  ４１：第一表面、  ４２：第二表面、  ４３：インターフェース、  ４４：差込口、  ４５：金属端子、  ４６：スロット、  ４７：回路板、  ５０：メモリーカード、  ５１：突出部、  ６０：ケーブル、  ７０：第二端ＵＳＢプラグ、  ７０Ａ：第二端ＵＳＢジャック、  ７１：本体、  ７１ａ：本体、  ７２：小型ＵＳＢプラグ、  ７２ａ：メス差込口、  ８０Ａ、８０Ｂ、８０Ｃ、８０Ｄ、８０Ｅ：ＵＳＢケーブル
【図１】
0003158244.tif 000003
【図２】
0003158244.tif 000004
【図３】
0003158244.tif 000005
【図４】
0003158244.tif 000006
【図５】
0003158244.tif 000007
【図６】
0003158244.tif 000008
【図７】
0003158244.tif 000009
【図８】
0003158244.tif 000010
【手続補正書】
【提出日】平成22年1月15日(2010.1.15)
【手続補正１】
【補正対象書類名】実用新案登録請求の範囲
【補正対象項目名】請求項２
【補正方法】変更
【補正の内容】
【請求項２】
前記スロットは、前記第一端ＵＳＢプラグに内蔵され、かつ、
金属から構成され、汎用協定のＵＳＢのA-Typeプラグの寸法および規格を満たし、かつ上端および下端に別々に形成された第一壁面および第二壁面を有する金属ケースと、
前後側以外の部位が前記金属ケースによって被覆され、
下向きに配置され、複数の金属ピンを有するインターフェースを有し、前記金属ケースの前記第一壁面との間に、汎用協定を満たすＵＳＢメス差込口と電気的に接続可能な差込口を形成する第一表面と、
前記第一表面の裏側に上向きに配置され、前記金属ケースの前記第二壁面との間に、フラッシュメモリ型電子媒体の薄型メモリーカードを差し込むためのスロットを形成し、前記メモリーカードと電気的に接続可能な複数の金属端子を配置することによってフラッシュメモリ型電子媒体用薄型カードリーダーを構成する第二表面とを有し、
厚さが１．２ｍｍ以下である絶縁基板と、
を有し、
前記第二壁面の外端部に前記メモリーカードの外側の突出部と合わさる欠け口が設けられることを特徴とする請求項１に記載のカードリーダー機能を備えたＵＳＢケーブル。
【手続補正２】
【補正対象書類名】実用新案登録請求の範囲
【補正対象項目名】請求項６
【補正方法】変更
【補正の内容】
【請求項６】
前記スロットは、前記第二端ＵＳＢプラグに代えて第二端ＵＳＢジャックの本体の上下側、左右側および後側のうちのいずれか一つに配置されることを特徴とする請求項１に記載のカードリーダー機能を備えたＵＳＢケーブル。
【手続補正３】
【補正対象書類名】明細書
【補正対象項目名】０００２
【補正方法】変更
【補正の内容】
【０００２】
ＵＳＢ（Universal Serial Bus）は、コンピューター技術メーカーの研究開発によって生み出された。
ＵＳＢは、標準的な接続インターフェースであり、かつ各種の周辺設備のコネクタを統一した、いわば「万能コネクタ」である。電子、通信およびデジタルなどの電子製品の発展に伴い、ＵＳＢの普及性および重要性は言うまでもない。
【手続補正４】
【補正対象書類名】明細書
【補正対象項目名】０００３
【補正方法】変更
【補正の内容】
【０００３】
デジタル製品の新作が次々に発表されるのに伴い、市場では、各種の規格および容量のメモリーカード、例えばMicro SD（Secure Digital）、Mini SD、SDおよびMS用のメモリーカードがすでに開発、発売されている。これらのメモリーカードを使用するには、カードリーダーをコンピューターとのインターフェースとして使用し、コンピューター本体のＵＳＢのメス差込口によってデータ通信を行なう必要がある。しかしながら、薄くて小さいメモリーカードと比べて市販のカードリーダーは体積が非常に大きいため、場所を取るだけでなく、使用に不便である。
【手続補正５】
【補正対象書類名】明細書
【補正対象項目名】０００５
【補正方法】変更
【補正の内容】
【０００５】
本考案の主な目的は、カードリーダー機能を備えたＵＳＢケーブルを提供することである。カードリーダー機能を備えたＵＳＢケーブルは、ＵＳＢプラグの本来の規格および機能を変えることなくＵＳＢの内部空間を有効に利用し、ＵＳＢプラグまたはケーブルにフラッシュメモリ型電子媒体用の専用スロットを増設することによって、電気的接続およびデータ通信に用いることが可能である。また、フラッシュメモリ型電子媒体用の薄型カードリーダーとして使用することが可能である。よって、二重の効果を有する。なお、「フラッシュメモリ型電子媒体」には、Micro SDカード、Mini SDカード、SDカードおよびMS用カードの他、トランスフラッシュの仕様を引き継いだものを含む。
【手続補正６】
【補正対象書類名】明細書
【補正対象項目名】０００８
【補正方法】変更
【補正の内容】
【０００８】
上述の目的を達成するために、本考案によるカードリーダー機能を備えたＵＳＢケーブルは、汎用協定を満たすＵＳＢケーブルを備え、ＵＳＢケーブルは両端のＵＳＢプラグまたはケーブルのうちの少なくとも一ヶ所に内蔵されたフラッシュメモリ型電子媒体の薄型メモリーカード用のスロットを有する。その形状および機能は協定のＵＳＢ規格を満たすため、電子製品と接続する際、ＵＳＢプラグおよびケーブルの機能および使用に支障をきたすことがない。
【手続補正７】
【補正対象書類名】明細書
【補正対象項目名】０００９
【補正方法】変更
【補正の内容】
【０００９】
上述した特徴により、スロットは、第一端ＵＳＢプラグの金属ケースに内蔵される。
上述した特徴により、スロットは、第一端ＵＳＢプラグの本体の左側、右側および後側のうちのいずれか一つに配置される。
上述した特徴により、スロットは、第一端ＵＳＢプラグの本体の上下表面のいずれか一つに配置される。
上述した特徴により、スロットは、第二端ＵＳＢプラグに代えて第二端ＵＳＢジャックの本体の上下側、左右側および後側のうちのいずれか一つに配置される。
上述した特徴により、スロットは、ケーブル上の任意の位置に配置される。
【手続補正８】
【補正対象書類名】明細書
【補正対象項目名】００１１
【補正方法】変更
【補正の内容】
【００１１】
以下、本考案によるカードリーダー機能を備えたＵＳＢケーブルを図面に基づいて説明する。
（第一実施形態）
図２から図４に示すように、本考案の第一実施形態によるＵＳＢケーブル８０Ａにおいて、スロット４６は第一端ＵＳＢプラグ２０の前端の金属ケース３０に内蔵される。ケーブル６０は所定の長さによって配置され、両端が第一端ＵＳＢプラグ２０および第二端ＵＳＢプラグ７０に別々に接続される。そのうちの第二端ＵＳＢプラグ７０は本体７１の前端が小型ＵＳＢプラグ７２に形成されたが、これに限らない。第一端ＵＳＢプラグ２０は汎用協定のＵＳＢ規格を満たすA-Typeプラグを採用し、長さが１２ｍｍ、幅が１２．０５ｍｍ、厚さが４．５２ｍｍである。本考案はＵＳＢプラグ２０の正常機能に影響を与えることなく、上述した空間の大きさに対応し、フラッシュメモリ型電子媒体用薄型カードリーダーが内蔵された構造を構築する。かつ限られた空間内に所定の効果を達成するために、本実施形態は金属ケース３０と絶縁基板４０を備える。
【手続補正９】
【補正対象書類名】明細書
【補正対象項目名】００１４
【補正方法】変更
【補正の内容】
【００１４】
本考案の主な特徴は次のとおりである。本来の絶縁基板４０を薄型化する、即ち絶縁基板４０の本来の厚さが１．５から２．０ｍｍである場合、金属ピンから構成されたインターフェース４３が配置されない第二表面４２を薄くし、絶縁基板４０の厚さを１．２ｍｍ以下にすることによって、第二表面４２および第二壁面３２との間に、フラッシュメモリ型電子媒体の薄型メモリーカード５０を差し込むためのスロット４６を形成する。かつ第二表面４２にメモリーカード５０と電気的に接続可能な複数の金属端子４５を配置することによって、スロット４６を介してフラッシュメモリ型電子媒体用薄型カードリーダーを構成する。
【手続補正１０】
【補正対象書類名】明細書
【補正対象項目名】００１５
【補正方法】変更
【補正の内容】
【００１５】
一般のフラッシュメモリ型電子媒体のメモリーカード５０は外側端部に指で取り外すための突出部５１を有するのに対し、本考案のもう一つの重要な特徴は次のとおりである。メモリーカード５０の突出部５１に対応し、第二壁面３２の外端部にメモリーカード５０の突出部５１と合わさる欠け口３３を設けることによって、メモリーカード５０をスロット４６に差し込むと突出部５１を欠け口３３に嵌め込むことが可能である。かつ形状は汎用協定のＵＳＢプラグの規格を満たすため、第一端ＵＳＢプラグ２０が電子製品の端部に接続される際、メモリーカード５０が差し込まれているか否かに係わらず、ＵＳＢプラグの正常機能を阻害することが発生しない。
【手続補正１１】
【補正対象書類名】明細書
【補正対象項目名】００１９
【補正方法】変更
【補正の内容】
【００１９】
図４に示すように、本考案はＵＳＢプラグの本来の形状の規格および内部機能を維持するため、各種の電子製品と接続することが可能である。つまり、金属ケース３０の露出した部分の長さＬは１２ｍｍ、厚さｔ１は４．５２ｍｍであり、差込口４４の隙間Ｓ１は変更なく維持される。フラッシュメモリ型電子媒体のメモリーカード５０の差し込みに用いるスロット４６を形成し、カードリーダー機能を搭載するために、絶縁基板４０の厚さｔ３のみが変更されている。
【手続補正１２】
【補正対象書類名】明細書
【補正対象項目名】００２０
【補正方法】変更
【補正の内容】
【００２０】
（第二実施形態）
図５に示すように、本考案の第二実施形態によるＵＳＢケーブル８０Ｂにおいて、スロット４６は第一端ＵＳＢプラグ２０の本体２１の一つの側に内蔵される、即ち左側または右側および後側のうちのいずれか一つに内蔵されるため、メモリーカード５０を横側または後側から差し込み、メモリーカード５０と内部の金属端子４５とを電気的に接続させれば、フラッシュメモリ型電子媒体用薄型カードリーダーを構成することが可能である。
【手続補正１３】
【補正対象書類名】明細書
【補正対象項目名】００２１
【補正方法】変更
【補正の内容】
【００２１】
（第三実施形態）
図６に示すように、本考案の第三実施形態によるＵＳＢケーブル８０Ｃにおいて、スロット４６は第一端ＵＳＢプラグ２０の本体２１の上下面のうちの一つに内蔵されるため、メモリーカード５０を水平方式または垂直方式によって上または下から差し込み、かつメモリーカード５０と内部の金属端子４５とを電気的に接続させれば、フラッシュメモリ型電子媒体用薄型カードリーダーを構成することが可能である。本実施形態はスロット４６にフタ（図中未表示）を増設することが可能である。詳細な説明は省略する。
【手続補正１４】
【補正対象書類名】明細書
【補正対象項目名】００２２
【補正方法】変更
【補正の内容】
【００２２】
（第四実施形態）
図７に示すように、本考案の第四実施形態によるＵＳＢケーブル８０Ｄにおいて、スロット４６はケーブル６０上の任意の位置に配置されるため、メモリーカード５０を差し込み、かつメモリーカード５０と内部の金属端子４５とを電気的に接続させれば、フラッシュメモリ型電子媒体用薄型カードリーダーを構成することが可能である。
【手続補正１５】
【補正対象書類名】明細書
【補正対象項目名】００２３
【補正方法】変更
【補正の内容】
【００２３】
（第五実施形態）
図８に示すように、本考案の第五実施形態によるＵＳＢケーブル８０Ｅにおいて、スロット４６は第二端ＵＳＢジャック７０Ａの本体７１ａに内蔵される。なお、「第二端ＵＳＢジャック７０Ａ」は、第一〜第四実施形態の「第二端ＵＳＢプラグ７０」に相当する。本実施形態において、第二端ＵＳＢジャック７０Ａは電気的接続端がメス差込口７２ａに形成されたが、これに限らない。つまり、本体７１ａの上下、左右および後側のうちのいずれか一つにスロット４６を内蔵することによって、メモリーカード５０を上下、左右および後側のうちのいずれか一側から水平方式または垂直方式によって差し込み、かつメモリーカード５０と内部の金属端子４５とを電気的に接続させれば、フラッシュメモリ型電子媒体用薄型カードリーダーを構成することが可能である。